(57)【特許請求の範囲】
【請求項１】
回転体を有する回転型電気部品と、この回転型電気部品を操作する操作部材と、この操作部材の回転動作を前記回転体に伝達する連結部材とを備え、前記操作部材は、その回転軸線に対して直角方向の側面前方側から回転操作を行うように配設され、前記操作部材の回転軸線は、前記回転体の回転軸線よりも前方側に位置させ、前記連結部材で前記操作部材と前記回転体とを連結して、前記操作部材の回転操作により前記連結部材を介して前記回転型電気部品を操作すると共に、前記操作部材の側面後方側と対向する位置に第１のプッシュスイッチを設けて、前記操作部材を回転可能に支持する駆動体を設け、前記操作部材の回転軸線に対する直角方向への前記操作部材の押圧動作によって、前記駆動体を介して前記第１のプッシュスイッチを操作するようにしたことを特徴とする入力装置。
【請求項２】
前記連結部材の一端側を前記操作部材の一端側に係合させると共に、前記連結部材の他端側を前記回転体に係合させて、前記連結部材が前記回転体と前記操作部材の回転軸線間に傾斜状態で配置されたことを特徴とする請求項１記載の入力装置。
【請求項３】
前記駆動体を取り付けるケースを有し、前記駆動体が前記ケースにスナップ止めされて、前記駆動体が前記ケースに取り付けられたことを特徴とする請求項１、又は２記載の入力装置。
【請求項４】
前記駆動体は、半円弧状部と、この半円弧状部の中央部に位置する突部とを有し、前記操作部材の他端側に設けた孔に前記突部を嵌合して、この突部で前記操作部材を回転可能に支持すると共に、前記操作部材の側面後方側を前記半円弧状部で覆い、この半円弧状部で前記第１のプッシュスイッチを操作するようにしたことを特徴とする請求項１から３の何れかに記載の入力装置。
【請求項５】
前記第１のプッシュスイッチの両側に第２と第３のプッシュスイッチを配設し、前記操作部材の前記側面前方側の両端部側をそれぞれ押圧した際、前記操作部材が傾倒動作して、前記駆動体を介してそれぞれ前記第２，第３のプッシュスイッチを操作するようにしたことを特徴とする請求項１から４の何れかに記載の入力装置。
【請求項６】
回転体を有する回転型電気部品と、この回転型電気部品を操作する操作部材と、この操作部材の回転動作を前記回転体に伝達する連結部材とを備え、前記連結部材の両端部には、外面が弧状をなした非円形の係合部を設け、この係合部が前記回転体と前記操作部材とに設けた非円形の凹部に係合させて、前記操作部材の回転操作を前記回転体に伝達させ、前記操作部材は、その回転軸線に対して直角方向の側面前方側から回転操作を行うように配設され、前記操作部材の回転軸線は、前記回転体の回転軸線よりも前方側に位置させ、前記操作部材の回転操作により前記連結部材を介して前記回転型電気部品を操作するようにしたことを特徴とする入力装置。
【請求項７】
前記回転体、又は／及び前記操作部材の前記凹部には、回転軸線方向に延びる平坦面を設け、この平坦面上を前記係合部が回転軸線方向に摺動可能としたことを特徴とする請求項６記載の入力装置。
【発明の詳細な説明】
【０００１】
【発明の属する技術分野】
本発明はラジオ、ＣＤレコーダ、自動車のナビゲーション等に使用して好適な入力装置に関する。
【０００２】
【従来の技術】
従来の入力装置は特開平１０−３１２７２８号で開示され、図６に示すように、合成樹脂の成型品からなるＵ字状のケース５１の底壁５１ａには、３個の第１，第２，第３のプッシュスイッチＳ４，Ｓ５，Ｓ６が一直線上に並設されて取り付けられると共に、一方の側壁５１ｂには、回転体５２を有するエンコーダ等の回転型電気部品Ｒ２が取り付けられている。
【０００３】
また、合成樹脂の成型品からなる駆動体５３は、箱形をなし、その底壁５３ａに複数個の突部５３ｂを有し、この駆動体５３は、適宜手段によりケース５１に取り付けられて、上下動と、傾倒動作が可能となっており、駆動体５３が取り付けられた際、複数個のそれぞれの突部５３ｂは、第１，第２，第３のプッシュスイッチＳ４，Ｓ５，Ｓ６に対向した状態となっている。
また、金属板からなるばね板５４は、駆動体５３の底壁５３ａに取り付けられて、常時駆動体５３を上方に弾圧している。
【０００４】
また、筒状の操作部材５５は、中心部において回転軸線Ｇ３方向に貫通し、中央部から外部に向かって漸次大きくなった円錐状の孔５５ａが設けられ、この操作部材５５は、孔５５ａに挿通された非円形の軸５６により、回転動作と、上下動、及び傾倒動作可能にケース５１に取り付けられている。
そして、軸５６は、一端に設けられた非円形部５６ａが回転体５２の孔５２ａに係合され、他端が側壁５１ｃの孔５１ｄに掛け止めされて、回転体５２と側壁５１ｃ間に張架されている。
その結果、操作部材５５の回転軸線Ｇ３と回転体５２の回転軸線Ｇ４とは、一直線上で一致した状態となっている。
【０００５】
次に、従来の入力装置の動作を説明すると、先ず、操作部材５５を回転すると、この回転に伴って、軸５６が回転する。
すると、軸５６を介して回転体５２が回転し、その結果、接点等の切換が行われて回転型電気部品Ｒ２が操作されるようになる。
次に、操作部材５５の中央部を回転軸線Ｇ３に対して直角方向、即ち、図６の矢印Ｙ１方向に押圧すると、操作部材５５は駆動体５３を伴って下方に直線移動して、その結果、突部５３ｂによって第１のプッシュスイッチＳ４が操作されて接点の切換が行われる。
また、操作部材５５の矢印Ｙ１方向への押圧を解除すると、ばね板５４により駆動体５３と操作部材５５が押圧前の元の状態に押し戻されると共に、突部５３ｂによる第１のプッシュスイッチＳ４の操作も解除される。
【０００６】
また、矢印Ｙ１方向への操作部材５５の移動時、軸５６は中央部が押圧されて、この軸５６は、回転体５２と係合した非円形部５６ａを支点として傾倒動作して、他端側が側壁５１ｃの孔５１ｄ内を移動するようになっている。
この時、非円形部５６ａは、回転体５２の孔５２ａ内で円運動するようになっている。
【０００７】
次に、操作部材５５の端部を回転軸線Ｇ３に対して直角方向、即ち、図６の矢印Ｙ２方向、或いは矢印Ｙ３方向に押圧すると、操作部材５５は駆動体５３を伴って、操作部材５５の中央部を支点として傾倒動作し、その結果、突部５３ｂによって第２のプッシュスイッチＳ５，或いは第３のプッシュスイッチＳ６が操作されて接点の切換が行われる。
また、操作部材５５の矢印Ｙ２方向、或いは矢印Ｙ３方向への押圧を解除すると、ばね板５４により駆動体５３と操作部材５５が押圧前の元の状態に押し戻されると共に、突部５３ｂによる第２のプッシュスイッチＳ５、或いは第３のプッシュスイッチＳ６の操作も解除される。
【０００８】
この第２，第３のプッシュスイッチＳ５，Ｓ６の操作時、軸５６は、操作部材５５に設けられた円錐状の孔５５ａによって、操作部材５５によって押されることがないようになっている。
このようにして、操作部材５５を回転することにより回転型電気部品Ｒ２を操作し、また、操作部材５５を回転軸線Ｇ３に対して直角方向に移動させることにより第１，第２，第３のプッシュスイッチＳ４，Ｓ５，Ｓ６を操作するものである。
【０００９】
【発明が解決しようとする課題】
従来の入力装置は、操作部材５５の回転軸線Ｇ３と回転体５２の回転軸線Ｇ４とが一致し、ケース５１の底壁５１ａから同一高さにあるため、回転型電気部品Ｒ２の取付位置を操作部材５５の回転軸線Ｇ３の位置まで上げる必要が生じ、大型になるという問題がある。
また、軸５６は、操作部材５５の孔５５ａに貫通すると共に、その両端をそれぞれ回転体５２と側壁５１ｃに掛け止めする構成であるため、その組立性が悪く、コスト高になるばかりか、横方向のスペースが大きくなるという問題がある。
そこで、本発明は、小型で、組立性が良く、安価な入力装置を提供することを目的とする。
【００１０】
【課題を解決するための手段】
上記課題を解決するための第１の解決手段として、回転体を有する回転型電気部品と、この回転型電気部品を操作する操作部材と、この操作部材の回転動作を前記回転体に伝達する連結部材とを備え、前記操作部材は、その回転軸線に対して直角方向の側面前方側から回転操作を行うように配設され、前記操作部材の回転軸線は、前記回転体の回転軸線よりも前方側に位置させ、前記連結部材で前記操作部材と前記回転体とを連結して、前記操作部材の回転操作により前記連結部材を介して前記回転型電気部品を操作すると共に、前記操作部材の側面後方側と対向する位置に第１のプッシュスイッチを設けて、前記操作部材を回転可能に支持する駆動体を設け、前記操作部材の回転軸線に対する直角方向への前記操作部材の押圧動作によって、前記駆動体を介して前記第１のプッシュスイッチを操作するようにした構成とした。
【００１１】
また、第２の解決手段として、前記連結部材の一端側を前記操作部材の一端側に係合させると共に、前記連結部材の他端側を前記回転体に係合させて、前記連結部材が前記回転体と前記操作部材の回転軸線間に傾斜状態で配置された構成とした。
また、第３の解決手段として、前記駆動体を取り付けるケースを有し、前記駆動体が前記ケースにスナップ止めされて、前記駆動体が前記ケースに取り付けられた構成とした。
【００１２】
また、第４の解決手段として、前記駆動体は、半円弧状部と、この半円弧状部の中央部に位置する突部とを有し、前記操作部材の他端側に設けた孔に前記突部を嵌合して、この突部で前記操作部材を回転可能に支持すると共に、前記操作部材の側面後方側を前記半円弧状部で覆い、この半円弧状部で前記第１のプッシュスイッチを操作するようにした構成とした。
また、第５の解決手段として、前記第１のプッシュスイッチの両側に第２と第３のプッシュスイッチを配設し、前記操作部材の前記側面前方側の両端部側をそれぞれ押圧した際、前記操作部材が傾倒動作して、前記駆動体を介してそれぞれ前記第２，第３のプッシュスイッチを操作するようにした構成とした。
【００１３】
また、第６の解決手段として、回転体を有する回転型電気部品と、この回転型電気部品を操作する操作部材と、この操作部材の回転動作を前記回転体に伝達する連結部材とを備え、前記連結部材の両端部には、外面が弧状をなした非円形の係合部を設け、この係合部が前記回転体と前記操作部材とに設けた非円形の凹部に係合させて、前記操作部材の回転操作を前記回転体に伝達させ、前記操作部材は、その回転軸線に対して直角方向の側面前方側から回転操作を行うように配設され、前記操作部材の回転軸線は、前記回転体の回転軸線よりも前方側に位置させ、前記操作部材の回転操作により前記連結部材を介して前記回転型電気部品を操作するようにした構成とした
また、第７の解決手段として、前記回転体、又は／及び前記操作部材の前記凹部には、回転軸線方向に延びる平坦面を設け、この平坦面上を前記係合部が回転軸線方向に摺動可能とした構成とした。
【００１５】
【発明の実施の形態】
本発明における入力装置の図面を説明すると、図１は本発明の入力装置の平面図、図２は図１の２−２線における断面図、図３は本発明の入力装置に係り、プッシュスイッチの配列を示す一部を切り欠いた平面図、図４は本発明の入力装置の分解斜視図、図５は本発明の入力装置の動作を示す説明図である。
【００１６】
次に、本発明の入力装置における構成を図１〜図５に基づいて説明すると、平板状のプリント基板１には、第１のプッシュスイッチＳ１を中央にして、その両側に第２，第３のプッシュスイッチＳ２，Ｓ３がそれぞれ一直線上に並列して取り付けられている。
そして、これ等の第１，第２，第３のプッシュスイッチＳ１，Ｓ２，Ｓ３は、筺体２内に可動接点（図示せず）等が内蔵されていると共に、可動接点を操作する押し釦３が筺体２に取り付けられて、上面に位置した状態となっている。
【００１７】
合成樹脂の成型品から成り、前、後部が開放された箱形のケース４は、四方に配置された側壁４ａによって囲まれた第１の収納部４ｂと、この第１の収納部４ｂに隣接して設けられた第２の収納部４ｃと、第１と第２の収納部４ｂ、４ｃ間に位置する側壁４ａに設けられた切り欠きからなる挿通部４ｄと、この挿通部４ｄを設けた側壁４ａと直交する二つの側壁４ａの中央部に対向して設けられた凹部４ｅと、この凹部４ｅの後方に位置した状態で、二つの側壁４ａに設けられた円弧状面を有する一対の支持部４ｆと、第１の収納部４ｂの長手方向で、対向する一対の側壁４ａの後部に設けられた二対の切り欠き部４ｇとを有する。
【００１８】
そして、このケース４は、第１の収納部４ｂの後方部に第１，第２，第３のプッシュスイッチＳ１，Ｓ２，Ｓ３を位置した状態で、プリント基板１に適宜手段により取り付けられている。
バネ性ある金属板等からなる帯状の２個のバネ部材５は、ケース４の第１の収納部４ｂの後方部に位置させた状態で、その両端部を切り欠き部４ｇに位置させると共に、その中央部を支持部４ｆの上面に載置して、ケース４に取り付けられている。
そして、この２個のバネ部材５は、支持部４ｆを中心として弓なり状態で、第１の収納部４ｂ内に配置されている。
なお、このバネ部材５は、線状のバネを使用しても良い。
【００１９】
エンコーダ等からなる回転型電気部品Ｒ１は、取付板６によって支持され、固定接点７を取り付けた絶縁基体８と、この絶縁基体８に回転可能に保持され、外周面に可動接点９を取り付けると共に、中心部に設けられた６角孔等からなる非円形状の凹部１０ａを有する回転体１０とで構成されている。
そして、この回転型電気部品Ｒ１は、ケース４の第２の収納部４ｃに収納されてケース４に取り付けられると共に、この回転型電気部品Ｒ１の固定接点７がプリント基板１に半田付けされて、配線パターン（図示せず）に接続されている。
【００２０】
また、ケース４に回転型電気部品Ｒ１が取り付けられた際、の回転体１０の凹部１０ａは、挿通部４ｄと対向した位置になると共に、回転体１０は、回転軸線Ｇ１を軸として回転し、この回転によって、可動接点９が固定接点７に接離してパルスを発生するようになっている。
更に、回転体１０の非円形状の凹部１０ａの内面は、回転軸線Ｇ１方向に沿って延びる平坦面で構成されている。
【００２１】
合成樹脂の成型品からなる駆動体１１は、円筒を概略半分にした形状の半円弧状部１１ａと、この半円弧状部１１ａの外周部に対向して設けられた一対の凸部１１ｂと、円弧状部１１ａの下面（後方部）中央部に設けられた球面をなした凸部１１ｃと、円弧状部１１ａの中央部に位置し、一端が円弧状部１１ａに連結された円柱状の突部１１ｄとを有する。
この駆動体１１は、ケース４の第１の収納部４ｂ上に位置させ、凸部１１ｂをケース４の凹部４ｅにスナップ嵌合して、スナップ止めすることによりケース４に取り付けられている。
【００２２】
そして、この駆動体１１がケース４に取り付けられた際、円弧状部１１ａで第１，第２，第３のプッシュスイッチＳ１，Ｓ２，Ｓ３の上部を覆って、凸部１１ｃが第１のプッシュスイッチＳ１上に位置すると共に、円弧状部１１ａの下面がバネ部材５に弾接した状態となっており、この駆動体１１は、上下動と、凸部１１ｃを支点とした傾倒動作が可能となっている。
【００２３】
合成樹脂の成型品等からなる操作部材１２は、回転可能に保持する保持部１３と、回転動作を回転型電気部品Ｒ１に伝達する伝達部１４の二つの部品で構成されている。
この保持部１３は、筒状をなし、一端の外周部に設けられた小径の筒部１３ａと、他端側が開放した状態で中心部に設けられた孔１３ｂと有し、また、伝達部１４は、一端側が開放した状態で中心部に設けられた非円形状（６角状）の凹部１４ａと、他端部が開放した状態で中心部に設けられた孔１４ｂとを有する。
【００２４】
そして、この保持部１３と伝達部１４とは、伝達部１４の孔１４ｂに保持部１３の筒部１３ａを圧入する等して、両者が一体化されて、全体が鼓状をなした操作部材１２が構成されている。
なお、この実施例において、操作部材１２は二つの部品を組み合わせて形成したが、一つの部品で形成しても良い。
そして、このような操作部材１２は、保持部１３の孔１３ｂに駆動体１１の突部１１ｄを嵌合して取り付けられ、操作部材１２は、回転軸線Ｇ２を軸として、突部１１ｄで回転可能に支持されて、操作部材１２の側面前方側Ａ１がケース４から露出すると共に、操作部材１２の側面後方側Ａ２が円弧状部１１ａで覆われた状態となっている。
【００２５】
そして、この操作部材１２は、回転軸線Ｇ２に対して直角方向の側面前方側Ａ１から回転操作可能で、その回転操作を行うと、回転軸線Ｇ２を軸として、突部１１ｄを中心に回転し、また、図２に示すように、操作部材１２の側面前方部Ａ１の中央部を矢印Ｙ１方向に押圧動作すると、操作部材１２は、バネ部材５に抗して駆動体１１を伴って側面後方側Ａ２に直線移動して、第１のプッシュスイッチＳ１を操作するようになる。
また、図２に示すように、操作部材１２の側面前方部Ａ１の両端部を矢印Ｙ２方向、或いは矢印Ｙ３方向に押圧動作すると、操作部材１２は、バネ部材５に抗して駆動体１１を伴って、凸部１１ｂを支点として傾倒動作し、第２のプッシュスイッチＳ２，或いは第３のプッシュスイッチＳ３を操作するようになる。
【００２６】
また、操作部材１２が駆動体１１に取り付けられた際、図２に示すように、操作部材１２の回転軸線Ｇ２は、回転体１０の回転軸線Ｇ１と段違いになると共に、操作部材１２の回転軸線Ｇ２は、回転体１０の回転軸線Ｇ１よりも側面前方側Ａ１に位置している。
その結果、回転体１０の回転軸線Ｇ１が側面後方側Ａ２，即ち、プリント基板１側に近くなっており、これによって、回転型電気部品Ｒ１が高さ方向に小型化できるものである。
また、伝達部１４の非円形状の凹部１４ａの内面は、回転軸線Ｇ２方向に沿って延びる平坦面で構成されている。
【００２７】
金属材等からなる連結部材１５は、軸部１５ａと、軸部１５ａの両端部に設けられ、軸部１５ａの形成方向の外面が弧状をなし、それと直交する断面が六角形の非円形の係合部１５ｂとを有し、この連結部材１５は、
軸部１５ａが挿通部４ｄに挿通された状態で、一方の係合部１５ｂが回転体１０の凹部１０ａに係合すると共に、他方の係合部１５ｂが操作部材１２の凹部１４ａに係合している。
その結果、連結部材１５は、回転軸線Ｇ１，Ｇ２間に傾斜状態で、配置されたものなっている。
【００２８】
次に、上述のような構成を有する入力装置の動作を説明すると、先ず、図２に示す状態において、回転軸線Ｇ２に対して直角方向の側面前方側Ａ１から操作部材１２を回転すると、操作部材１２は突部１１ｄを中心として回転する。
すると、操作部材１２の非円形の凹部１４ａによって、係合部１５ｂを介して連結部材１５が回転し、この連結部材１５の回転が非円形の凹部１０ａを介して回転体１０に伝達されて、その結果、回転体１０が回転してパルス信号を発生するようになり、回転型電気部品Ｒ１が操作される。
【００２９】
次に、図２に示すように、回転軸線Ｇ２に対して直角方向へ操作部材１２の中央部を押圧操作、即ち、操作部材１２の側面前方部Ａ１の中央部を矢印Ｙ１方向に押圧動作すると、操作部材１２は、バネ部材５に抗して駆動体１１を伴って側面後方側Ａ２に直線移動して、円弧状部１１ａの凸部１１ｃによって第１のプッシュスイッチＳ１を操作する。
【００３０】
そして、操作後、操作部材１２の押圧動作を解除すると、駆動体１１と操作部材１２は、バネ部材５によって元の状態に押し戻されると共に、第１のプッシュスイッチＳ１の操作が解除される。
また、この操作部材１２の上下動に際して、連結部材１５は回転体１０側の係合部１５ｂを支点として、その傾き角度が変化するが、この時、係合部１５ｂは、凹部１０ａ、又は／及び凹部１４ａの平坦面に沿って、回転軸線Ｇ１方向，又は／及び回転軸線Ｇ２方向に摺動するようになる。
【００３１】
また、図２に示すように、回転軸線Ｇ２に対して直角方向へ操作部材１２の端部側を押圧操作、即ち、操作部材１２の側面前方部Ａ１の端部側を矢印Ｙ２方向に押圧動作すると、図５に示すように、操作部材１２は、バネ部材５に抗して駆動体１１を伴って、凸部１１ｂを支点として傾倒動作し、その結果、円弧状部１１ａによって第２のプッシュスイッチＳ２を操作する。
【００３２】
そして、操作後、操作部材１２の押圧動作を解除すると、駆動体１１と操作部材１２は、バネ部材５によって元の状態に押し戻されると共に、第２のプッシュスイッチＳ２の操作が解除される。
また、この操作部材１２の上下動に際して、連結部材１５は回転体１０側の係合部１５ｂを支点として、その傾き角度が変化するが、この時、係合部１５ｂは、凹部１０ａ、又は／及び凹部１４ａの平坦面に沿って、回転軸線Ｇ１方向，又は／及び回転軸線Ｇ２方向に摺動するようになる。
【００３３】
また、図２に示すように、回転軸線Ｇ２に対して直角方向へ操作部材１２の端部側を押圧操作、即ち、操作部材１２の側面前方部Ａ１の端部側を矢印Ｙ３方向に押圧動作すると、前述と同様の動作原理により、操作部材１２は、バネ部材５に抗して駆動体１１を伴って、凸部１１ｂを支点として傾倒動作し、その結果、円弧状部１１ａによって第３のプッシュスイッチＳ３を操作する。
【００３４】
そして、操作後、操作部材１２の押圧動作を解除すると、駆動体１１と操作部材１２は、バネ部材５によって元の状態に押し戻されると共に、第３のプッシュスイッチＳ３の操作が解除される。
また、この操作部材１２の上下動に際して、連結部材１５は回転体１０側の係合部１５ｂを支点として、その傾き角度が変化するが、この時、係合部１５ｂは、凹部１０ａ、又は／及び凹部１４ａの平坦面に沿って、回転軸線Ｇ１方向，又は／及び回転軸線Ｇ２方向に摺動するようになる。
このようにして、本発明の入力装置の動作が行われるものである。
【００３５】
なお、前記実施例における回転型電気部品Ｒ１は、回転型可変抵抗器等の電気部品でも良く、また、回転体１０と操作部材１２には、凹部１０ａ、１４ａを設けたもので説明したが、回転体１０、又は／及び操作部材１２に非円形状の係合部を有する突部を設け、この突部を連結部材１５に設けた非円形の凹部に係合するようにしても良い。
また、第１，第２，第３のプッシュスイッチＳ１，Ｓ２，Ｓ３は、プリント基板１に取り付けたもので説明したが、ケース４に設けた底壁に取り付ける等、種々の構成が適用できること勿論である。
【００３６】
【発明の効果】
本発明の入力装置は、操作部材１２の回転軸線Ｇ２を回転体１０の回転軸線Ｇ１よりも前方側に位置させ、連結部材１５で操作部材１２と回転体１０とを連結して、操作部材１２の回転操作により連結部材１５を介して回転型電気部品Ｒ１を操作するようにしたため、回転型電気部品Ｒ１を取付位置側に低くできて、小型の入力装置を提供できる。
【００３７】
また、連結部材１５の一端側を操作部材１２の一端側に係合させると共に、連結部材１５の他端側を回転体１０に係合させて、連結部材１５が回転体１０と操作部材１２の回転軸線Ｇ１，Ｇ２間に傾斜状態で配置されたため、従来のように操作部材の中心部に軸を貫通させる必要が無く、従って、従来に比して連結部材１５を短くできると共に、その曲がりが少なく、寿命の長い入力装置を提供できる。
また、短い連結部材１５によって、横方向に小型化ができると共に、組立性が良好で、安価なものが得られる。
【００３８】
また、操作部材１２の側面後方側と対向する位置に第１のプッシュスイッチＳ１が設けられ、操作部材１２の回転軸線に対する直角方向への操作部材１２の押圧動作によって、第１のプッシュスイッチＳ１を操作するようにしたため、多機能の入力装置を提供できる。
【００３９】
また、操作部材１２を回転可能に支持する駆動体１１を設け、操作部材１２の押圧動作によって、駆動体１１を介して第１のプッシュスイッチＳ１を操作するようにしたため、駆動体１１が操作部材１２の保持と第１のプッシュスイッチＳ１の操作を兼ね、構成が簡単で、安価な入力装置を提供できる。
【００４０】
また、駆動体１１を取り付けるケース４を有し、駆動体１１がケース４にスナップ止めされて、駆動体１１がケース４に取り付けられたため、駆動体１１の取付が簡単で、生産性の良好なものが得られる。
【００４１】
また、駆動体１１は、半円弧状部１１ａと、この半円弧状部１１ａの中央部に位置する突部１１ｄとを有し、操作部材１２の他端側に設けた孔１３ｂに突部１１ｄを嵌合して、この突部１１ｄで操作部材１２を回転可能に支持すると共に、操作部材１２の側面後方側を半円弧状部１１ａで覆い、この半円弧状部１１ａで第１のプッシュスイッチＳ１を操作するようにしたため、駆動体１１をコンパクトで小型化でき、一層、小型の入力装置を提供できる。
【００４２】
また、第１のプッシュスイッチＳ１の両側に第２と第３のプッシュスイッチＳ２，Ｓ３を配設し、操作部材１２の側面前方側の両端部側をそれぞれ押圧した際、操作部材１２が傾倒動作して、駆動体１１を介してそれぞれ第２，第３のプッシュスイッチＳ２，Ｓ３を操作するようにしたため、一層、多機能の入力装置を提供できる。
【００４３】
また、連結部材１５の両端部には、外面が弧状をなした非円形の係合部１５ｂを設け、この係合部１５ｂが回転体１０と操作部材１２とに設けた非円形の凹部１０ａ、１４ａに係合させて、操作部材１２の回転操作を回転体１０に伝達させるようにしたため、その構成が簡単であると共に、連結部材１５の傾きの変化に対応できるものが得られる。
【００４４】
また、回転体１０、又は／及び操作部材１２の凹部１０ａ、１４ａには、回転軸線Ｇ１，Ｇ２方向に延びる平坦面を設け、この平坦面上を係合部１５ｂが回転軸線Ｇ１，Ｇ２方向に摺動可能としたため、連結部材１５の傾きの変化に伴う係合部１５の移動がスムースとなり、操作性の良好なものが得られる。
【図面の簡単な説明】
【図１】本発明の入力装置の平面図。
【図２】図１の２−２線における断面図。
【図３】本発明の入力装置に係り、プッシュスイッチの配列を示す一部を切り欠いた平面図。
【図４】本発明の入力装置の分解斜視図。
【図５】本発明の入力装置の動作を示す説明図。
【図６】従来の入力装置の要部断面図。
【符号の説明】
１  プリント基板
２  筺体
３  押し釦
４  ケース
４ａ  側壁
４ｂ  第１の収納部
４ｃ  第２の収納部
４ｄ  挿通部
４ｅ  凹部
４ｆ  支持部
４ｇ  切り欠き部
５  バネ部材
６  取付板
７  固定接点
８  絶縁基体
９  可動接点
１０  回転体
１０ａ  凹部
１１  駆動体
１１ａ  円弧状部
１１ｂ  凸部
１１ｃ  凸部
１１ｄ  突部
１２  操作部材
１３  保持部
１３ａ  筒部
１３ｂ  孔
１４  伝達部
１４ａ  凹部
１４ｂ  孔
１５  連結部材
１５ａ  軸部
１５ｂ  係合部
Ｇ１，Ｇ２  回転軸線
Ｒ１  回転型電気部品
Ｓ１  第１のプッシュスイッチ
Ｓ２  第２のプッシュスイッチ
Ｓ３  第３のプッシュスイッチ
Ａ１  側面前方側
Ａ２  側面後方側
【図１】
0003819677.tif 000002
【図２】
0003819677.tif 000003
【図３】
0003819677.tif 000004
【図４】
0003819677.tif 000005
【図５】
0003819677.tif 000006
【図６】
0003819677.tif 000007